(57)【要約】【課題】主装置側の処理負荷をより低減し、主装置側での処理遅延を防止する。【解決手段】複数の回線の呼状態を表示可能なマルチライン表示部１０６を備えた電話端末１であって、呼状態および操作情報と当該呼状態および操作情報に対応する表示パターンとを記憶する表示パターン記憶手段１２０と、自電話端末に対する操作を受け付けて当該操作の操作情報を検出する操作検出手段１０２と、主装置２から受信した呼情報に含まれる呼状態および前記操作情報に対応する表示パターンを前記表示パターン記憶手段１２０を参照して決定する表示パターン決定手段１０３と、前記決定された表示パターンで前記マルチライン表示部１０６を可視表示させる表示処理手段１０４とを有する。【選択図】図１
2010183430.tif 000002
【特許請求の範囲】
【請求項１】
複数の回線の呼状態を表示可能なマルチライン表示部を備えた複数の電話端末と、前記複数の電話端末の呼を制御する主装置とを有する電話システムであって、
前記各電話端末は、
呼状態および操作情報と、当該呼状態および操作情報に対応する表示パターンとを記憶する表示パターン記憶手段と、
自電話端末に対する操作を受け付け、当該操作の操作情報を検出する操作検出手段と、
前記主装置から受信した呼情報に含まれる呼状態および前記操作情報に対応する表示パターンを前記表示パターン記憶手段を参照して決定する表示パターン決定手段と、
前記決定された表示パターンで前記マルチライン表示部を可視表示させる表示処理手段と、を有し、
前記主装置は、前記複数の電話端末に共通の呼情報を生成し、前記複数の電話端末に当該呼情報を送信すること
を特徴とする電話システム。
【請求項２】
請求項１記載の電話システムであって、
前記電話端末は、
前記マルチライン表示部の各エリアの識別番号と、回線リソース番号とを対応付けて記憶したマルチライン記憶手段をさらに有し、
前記表示パターン決定手段は、前記呼情報に含まれる回線リソース番号に対応するマルチライン表示部のエリアの識別番号を前記マルチライン記憶手段を参照して決定し、
前記表示処理手段は、前記決定された識別番号のエリアのマルチライン表示部を、前記決定された表示パターンで可視表示させること
を特徴とする電話システム。
【請求項３】
請求項１または請求項２記載の電話システムであって、
前記主装置は、前記呼情報をマルチキャストで前記複数の電話端末に送信すること
を特徴とする電話システム。
【請求項４】
複数の回線の呼状態を表示可能なマルチライン表示部を備えた電話端末であって、
呼状態および操作情報と、当該呼状態および操作情報に対応する表示パターンとを記憶する表示パターン記憶手段と、
自電話端末に対する操作を受け付け、当該操作の操作情報を検出する操作検出手段と、
外部装置から受信した呼情報に含まれる呼状態および前記操作情報に対応する表示パターンを前記表示パターン記憶手段を参照して決定する表示パターン決定手段と、
前記決定された表示パターンで前記マルチライン表示部を可視表示させる表示処理手段と、を有すること
を特徴とする電話端末。
【請求項５】
請求項４記載の電話端末であって、
前記マルチライン表示部の各エリアの識別番号と、回線リソース番号とを対応付けて記憶したマルチライン記憶手段をさらに有し、
前記表示パターン決定手段は、前記呼情報に含まれる回線リソース番号に対応するマルチライン表示部のエリアの識別番号を前記マルチライン記憶手段を参照して決定し、
前記表示処理手段は、前記決定された識別番号のエリアのマルチライン表示部を、前記決定された表示パターンで可視表示させること
を特徴とする電話端末。
【請求項６】
複数の回線の呼状態を表示可能なマルチライン表示部を備えた複数の電話端末と、前記複数の電話端末の呼を制御する主装置とが行う呼状態表示制御方法であって、
前記各電話端末は、
呼状態および操作情報と、当該呼状態および操作情報に対応する表示パターンとを記憶する表示パターン記憶部を備え、
自電話端末に対する操作を受け付け、当該操作の操作情報を検出する操作検出ステップと、
前記主装置から受信した呼情報に含まれる呼状態および前記操作情報に対応する表示パターンを前記表示パターン記憶部を参照して決定する表示パターン決定ステップと、
前記決定された表示パターンで前記マルチライン表示部を可視表示させる表示ステップと、を行い、
前記主装置は、前記複数の電話端末に共通の呼情報を生成し、前記複数の電話端末に当該呼情報を送信する送信ステップを行うこと
を特徴とする呼状態表示制御方法。
【請求項７】
請求項６記載の呼状態表示制御方法であって、
前記電話端末は、
前記マルチライン表示部の各エリアの識別番号と、回線リソース番号とを対応付けて記憶したマルチライン記憶部をさらに備え、
前記表示パターン決定ステップは、前記呼情報に含まれる回線リソース番号に対応するマルチライン表示部のエリアの識別番号を前記マルチライン記憶部を参照して決定し、
前記表示ステップは、前記決定された識別番号のエリアのマルチライン表示部を、前記決定された表示パターンで可視表示させること
を特徴とする呼状態表示制御方法。
【請求項８】
複数の回線の呼状態を表示可能なマルチライン表示部を備えた電話端末が行う、呼状態表示制御方法であって、
前記電話端末は、
呼状態および操作情報と、当該呼状態および操作情報に対応する表示パターンとを記憶した表示パターン記憶部を備え、
自電話端末に対する操作を受け付け、当該操作の操作情報を検出する操作検出ステップと、
外部装置から受信した呼情報に含まれる呼状態および前記操作情報に対応する表示パターンを前記表示パターン記憶部を参照して決定する表示パターン決定ステップと、
前記決定された表示パターンで前記マルチライン表示部を可視表示させる表示ステップと、を行うこと
を特徴とする呼状態表示制御方法。
【請求項９】
請求項８記載の呼状態表示制御方法であって、
前記電話端末は、
マルチライン表示部の各エリアの識別番号と、回線リソース番号とを対応付けて記憶したマルチライン記憶部を備え、
前記表示パターン決定ステップは、前記呼情報に含まれる回線リソース番号に対応するマルチライン表示部のエリアの識別番号を前記マルチライン記憶部を参照して決定し、
前記表示ステップは、前記決定された識別番号のエリアのマルチライン表示部を、前記決定された表示パターンで可視表示させること
を特徴とする呼状態表示制御方法。
【請求項１０】
請求項８または請求項９記載の呼状態表示制御方法をコンピュータに実行させる呼状態表示制御プログラム。
【発明の詳細な説明】
【技術分野】
【０００１】
本発明は、電話端末における呼状態の表示制御を行う呼状態表示制御技術に関する。
【背景技術】
【０００２】
企業においては、コストや効率性の観点から、ボタン電話機システム、または、構内交換装置を用いた構内交換システムが導入されている。
【０００３】
ボタン電話機システムおよび構内交換システムは、１台の主装置と複数の電話機（ボタン電話機、構内電話機）とで構成される。主装置に複数の電話回線および自局電話番号を収容および設定し、各電話機でそれらを共用する。
【０００４】
ボタン電話機システムについては、例えば特許文献１に記載されている。
【先行技術文献】
【特許文献】
【０００５】
【特許文献１】特開昭６２−２８１５９２号公報
【発明の概要】
【発明が解決しようとする課題】
【０００６】
ボタン電話機には、回線共用の利便性向上のために、マルチラインキーが配備されている場合が多い。マルチラインキーは、ランプ表示が可能な複数のボタンである。各ボタンに電話回線、自局電話番号、他ボタン電話機の内線番号等を割り付けるとこれら個々の回線使用状況（空き、使用中等）を、ランプの点灯、点滅パターン、色でユーザは確認することができる。これにより、ユーザは、例えば、空き状態のマルチラインキーを押して発信のための回線を捕捉し、また、着信表示されているマルチラインキーを押して応答することができる。
【０００７】
従来、このようなマルチラインキーに対する回線使用状況の可視表示制御は、主装置側で集中して実施され、各ボタン電話機は、主装置から受信するランプ制御情報どおりにマルチラインキーのランプ表示を行う。具体的には、主装置は、可視表示させるマルチラインキーのランプおよび可視表示の内容（ランプの点灯、点滅パターン、色等）を設定したランプ制御情報を、ボタン電話機毎に個別に生成し、各ボタン電話機に対応するランプ制御情報をそれぞれ送信する。
【０００８】
このため、主装置側での処理負荷が大きいという問題がある。特に、マルチラインキーへの電話回線や電話番号の割付がボタン電話機毎に異なる場合、または、主装置に収容されるボタン電話機の数または呼量が増加した場合には、主装置の処理負荷がより増加する。さらには、時代の経過とともに、主装置が提供する機能も増加し、主装置の処理負荷は益々増加している。このような状況において主装置の処理負荷が増加すると、処理が遅延し、ボタン電話機で回線の使用状況がリアルタイムに可視表示されないなどの問題が発生する。
【０００９】
なお、上記の従来の可視表示制御は、コストや技術的な制約により、ボタン電話機の処理能力が低い時代に開発された方式であり、現在ではＳＩＰによるＩＰ電話への対応等により、ボタン電話機自体の性能が大きく向上している。
【００１０】
本発明は上記事情に鑑みてなされたものであり、本発明の目的は、主装置側の処理負荷を、より低減させることにある。
【課題を解決するための手段】
【００１１】
上記目的を達成するため、本発明は、複数の回線の呼状態を表示可能なマルチライン表示部を備えた複数の電話端末と、前記複数の電話端末の呼を制御する主装置とを有する電話システムであって、前記各電話端末は、呼状態および操作情報と、当該呼状態および操作情報に対応する表示パターンとを記憶する表示パターン記憶手段と、自電話端末に対する操作を受け付け、当該操作の操作情報を検出する操作検出手段と、前記主装置から受信した呼情報に含まれる呼状態および前記操作情報に対応する表示パターンを前記表示パターン記憶手段を参照して決定する表示パターン決定手段と、前記決定された表示パターンで前記マルチライン表示部を可視表示させる表示処理手段と、を有し、前記主装置は、前記複数の電話端末に共通の呼情報を生成し、前記複数の電話端末に当該呼情報を送信する。
【００１２】
また、本発明は、複数の回線の呼状態を表示可能なマルチライン表示部を備えた電話端末であって、呼状態および操作情報と、当該呼状態および操作情報に対応する表示パターンとを記憶する表示パターン記憶手段と、自電話端末に対する操作を受け付け、当該操作の操作情報を検出する操作検出手段と、外部装置から受信した呼情報に含まれる呼状態および前記操作情報に対応する表示パターンを前記表示パターン記憶手段を参照して決定する表示パターン決定手段と、前記決定された表示パターンで前記マルチライン表示部を可視表示させる表示処理手段と、を有する。
【００１３】
また、本発明は、複数の回線の呼状態を表示可能なマルチライン表示部を備えた複数の電話端末と、前記複数の電話端末の呼を制御する主装置とが行う呼状態表示制御方法であって、前記各電話端末は、呼状態および操作情報と、当該呼状態および操作情報に対応する表示パターンとを記憶する表示パターン記憶部を備え、自電話端末に対する操作を受け付け、当該操作の操作情報を検出する操作検出ステップと、前記主装置から受信した呼情報に含まれる呼状態および前記操作情報に対応する表示パターンを前記表示パターン記憶部を参照して決定する表示パターン決定ステップと、前記決定された表示パターンで前記マルチライン表示部を可視表示させる表示ステップと、を行い、前記主装置は、前記複数の電話端末に共通の呼情報を生成し、前記複数の電話端末に当該呼情報を送信する送信ステップを行う。
【００１４】
また、本発明は、複数の回線の呼状態を表示可能なマルチライン表示部を備えた電話端末が行う、呼状態表示制御方法であって、前記電話端末は、呼状態および操作情報と、当該呼状態および操作情報に対応する表示パターンとを記憶した表示パターン記憶部を備え、自電話端末に対する操作を受け付け、当該操作の操作情報を検出する操作検出ステップと、外部装置から受信した呼情報に含まれる呼状態および前記操作情報に対応する表示パターンを前記表示パターン記憶部を参照して決定する表示パターン決定ステップと、前記決定された表示パターンで前記マルチライン表示部を可視表示させる表示ステップと、を行う。
【００１５】
また、本発明は、前記呼状態表示制御方法をコンピュータに実行させる呼状態表示制御方法プログラムである。
【発明の効果】
【００１６】
本発明によれば、各電話端末が、主装置から通知された共通の呼情報に基づいて、マルチライン表示部の表示パターンを自律的に決定するため、主装置側の処理負荷をより低減することができる。
【図面の簡単な説明】
【００１７】
【図１】本発明の実施形態に係る電話システムの全体構成図である。
【図２】呼情報の一例を示す図である。
【図３】マルチラインキー対応テーブルの一例を示す図である。
【図４】可視表示パターンテーブルの一例を示す図である。
【図５】本実施形態の処理を示すシーケンス図である。
【図６】ボタン電話機Ａのマルチラインキー対応テーブルを示す図である。
【図７】ボタン電話機Ｂのマルチラインキー対応テーブルを示す図である。
【発明を実施するための形態】
【００１８】
以下、本発明の実施形態について説明する。
【００１９】
図１は、本発明の実施形態に係る電話システムを示す図である。本実施形態では、電話システムとしてボタン電話システムを例に以下説明するが、本発明はこれに限定されず、例えば、構内交換装置を用いた構内交換システムであってもよい。
【００２０】
図示する電話システムは、主装置２と、複数のボタン電話機１（電話端末）とを有する。主装置２は、複数の電話回線（不図示）を収容し、当該複数の電話回線を各ボタン電話機１で共用させるために、各ボタン電話機１に共通の呼情報を生成し、各ボタン電話機１に通知する。
【００２１】
図示するボタン電話機１は、呼情報受信部１０１と、操作検出部１０２と、可視表示パターン決定部１０３と、可視表示処理部１０４と、記憶部１０５と、マルチラインキー１０６（マルチライン表示部）とを有する。記憶部１０５には、後述するマルチラインキー対応テーブル１１０および可視表示パターンテーブル１２０が記憶されている。
【００２２】
呼情報受信部１０１は、可視表示パターンを決定するための情報となる呼情報を、主装置１（外部装置）から受信し、可視表示パターン決定部１０３に通知する。
【００２３】
操作検出部１０２は、当該ボタン電話機１に配備されたマルチラインキー１０６の押下、受話器のオフフックおよびオンフックの操作、保留ボタンの押下等の呼状態の遷移トリガーとなるユーザの操作を検出し、当該操作に対応する操作情報を可視表示パターン決定部１０３に通知する。
【００２４】
可視表示パターン決定部１０３は、呼情報受信部１０１から通知される呼情報と、キー操作検出部１０２から通知される操作情報と、記憶部１０５にあらかじめ保持されているテーブル１１０、１２０とに基づいて、可視表示パターンと当該可視表示パターンの可視表示を行うマルチラインキーのボタンの番号（エリアの識別番号）を決定する。そして、可視表示パターン決定部１０３は、決定した可視表示パターンおよびマルチラインキーの番号を可視表示処理部１０４に通知する。
【００２５】
可視表示処理部１０４は、可視表示パターン決定部１０３からの通知に基づいて、マルチラインキー１０６の可視表示制御を行う。
【００２６】
マルチラインキー１０６は、ランプ表示が可能な複数のボタン（エリア）を有する。各ボタンには、マルチラインキー対応テーブル１１０に従って、電話回線、自局電話番号、他ボタン電話機の内線番号等が割り付けられ、これら個々の回線使用状況・呼状態（空き、使用中、着信、保留等）を、ランプの点灯、点滅パターン、色でユーザは確認することができる。これにより、ユーザは、例えば、空き状態のマルチラインキーを押して発信のための回線を捕捉し、また、着信表示されているマルチラインキーを押して応答することができる。
【００２７】
上記説明した主装置２およびボタン電話機１は、例えば、少なくともＣＰＵと、メモリと、ＨＤＤ等の外部記憶装置とを備えた汎用的なコンピュータシステムを用いることができる。このコンピュータシステムにおいて、ＣＰＵがメモリ上にロードされた所定のプログラムを実行することにより、各装置の各機能が実現される。例えば、主装置２およびボタン電話機１の各機能は、主装置２用のプログラムの場合は主装置２のＣＰＵが、そしてボタン電話機１用のプログラムの場合はボタン電話機１のＣＰＵが、それぞれ実行することにより実現される。
【００２８】
なお、ボタン電話機１として、例えばパソコン（Personal Computer）上で動作するソフトホンなど、回線使用状況の可視表示が可能な電話端末を用いることとしてもよい。可視表示処理部１０４は、電話端末がソフトホンの場合はマルチラインキー表示エリアの可視表示制御を行うなど、電話端末の方式および構成に応じた可視表示制御を行うものとする。
【００２９】
図２は、呼情報受信部１０１が主装置２から受信する呼情報の一例を示すものである。呼情報は、回線使用状況を表す情報であって、呼状態が遷移するたびに、呼制御を実施する主装置２から通知・送信される。図示する呼情報は、回線リソース番号と、自局電話番号と、呼状態と、発信者情報と、着信者情報とを有する。なお、呼情報は、少なくとも回線リソース番号と呼状態とを含むものとする。
【００３０】
回線リソース番号は、ボタン電話システム、または構内交換システム等で利用される、論理的な回線チャネル（通話パス）に付与する番号である。すなわち、回線リソース番号は、システム内で共通的に利用される回線リソースの識別子となる。
【００３１】
図３は、記憶部１０５に格納されるマルチラインキー対応テーブル１１０の一例を示したものである。マルチラインキー対応テーブル１１０は、図示するように、マルチラインキーの番号、回線リソース番号および自局電話番号の対応表である。
【００３２】
回線リソース番号および自局電話番号は、１対１の対応付け３０１、もしくは多対１の対応付け３０２を行うことが可能である。回線リソース番号および自局電話番号が１対１で対応付けられている場合３０１、当該自局電話番号に対する着信、および、当該自局電話番号を発信番号とした発信は、同時に１つだけ可能となる。
【００３３】
一方、回線リソース番号および自局電話番号が多対１で対応付けられている場合３０２（図示する例では３対１）、当該自局電話番号に対する着信、および、当該自局電話番号を発信番号とした発信は、同時に、対応付けた回線リソース番号の数まで（図示する例では３つまで）可能となる。
【００３４】
図４は、記憶部１０５に格納される可視表示パターンテーブル１２０の一例を示したものである。可視表示パターンテーブル１２０は、図示するように、呼状態およびトリガー操作有無（操作情報）に対応する可視表示パターンが設定されたリストである。呼状態としては、例えば、「使用中」、「着信」、「共通保留」、「個別保留」、「終話」などが考えられる。
【００３５】
トリガー操作有無は、外部から受信した呼情報に含まれる呼状態に遷移するトリガーとなった操作が、自通信端末で行われたか否かを示す情報である。例えば個別保留４０１など、呼状態は同一であるものの、自ボタン電話機と他ボタン電話機とで可視表示パターンを変える必要がある場合、トリガー操作の「有」または「無」は判断材料として用いられる。
【００３６】
次に、本実施形態の可視表示制御処理について説明する。
【００３７】
図５は、発信時の回線補捉の際に、ボタン電話機においてマルチラインキーのランプ表示が行われるまでの一連の処理の流れを示したものである。図５に示すボタン電話機Ａが備えるマルチラインキー対応テーブル１１０は図６であって、ボタン電話機Ｂが備えるマルチラインキー対応テーブル１１０は図７に示すものとする。また、ボタン電話機Ａおよびボタン電話機Ｂが備える可視表示パターンテーブル１２０は、ともに図４に示すものとする。
【００３８】
まず、ボタン電話機Ａのマルチラインキーのボタン（キー番号「１」）が、発信回線捕捉のために、ユーザにより押下される（Ｓ１１）。ボタン電話機Ａの操作検出部１０２は、マルチラインキーのキー番号「１」が押下されたことを検出し、可視表示パターン決定部１０３に通知する（Ｓ１２）。
【００３９】
そして、可視表示パターン決定部１０３および主装置は、回線捕捉のための一連の呼制御処理を行う（Ｓ１３）。すなわち、可視表示パターン決定部１０３は、図６に示すマルチラインキー対応テーブル１１０を参照し、Ｓ１２で通知されたマルチラインキーのキー番号に対応する回線リソース番号（図示する例では「１」）を特定する。そして、可視表示パターン決定部１０３は、特定した回線リソース番号を含む発信回線捕捉要求を主装置に送信する。主装置は、発信回線捕捉要求を受信すると、当該要求に含まれる回線リソース番号の回線を確保する。
【００４０】
そして、主装置は、全てのボタン電話機に共通の呼情報（図２参照）を生成し、各ボタン電話機に生成した呼情報を通知する（Ｓ１４）。図５に示す例では、ボタン電話機Ａから送信された回線リソース番号「１」と、回線を確保したことによる呼状態「使用中」とを含むに呼情報を生成し、ボタン電話機Ａおよびボタン電話機Ｂに送信する。
【００４１】
このように、本実施形態の主装置は、異なる内容のマルチラインキー対応テーブル（図６、図７参照）を備える複数のボタン電話機であっても、同一内容の呼情報を１つ生成し、各ボタン電話機に通知する。これにより、各ボタン電話機のマルチラインキー割付状況に基づいてボタン電話機毎に個別に呼情報を生成する場合と比較して、主装置の処理負荷を低減させることができる。
【００４２】
なお、各ボタン電話機に送信される呼情報は同一であるため、主装置は、マルチキャスト配信で各ボタン電話機に呼情報を送信することとしてもよい。これにより、主装置と各ボタン電話機との間のネットワークトラフィックを軽減することができる。
【００４３】
そして、主装置から呼情報を受信した各ボタン電話機は、それぞれ可視表示制御を行う。具体的には、ボタン電話機Ａの可視表示パターン決定部１０３は、可視表示パターンテーブル１２０（図４参照）を参照し、可視表示パターンを決定する（Ｓ１５）。図示する例では、呼状態は「使用中」で、トリガー操作有無についてはＳ１２でキー操作を検出しているため「有り」である。したがって、可視表示パターン決定部１０３は、可視表示パターンとして「自己使用中（緑点灯）」を決定する。
【００４４】
また、ボタン電話機Ａの可視表示パターン決定部１０３は、マルチラインキー対応テーブル（図６参照）を参照し、呼情報で通知された回線リソース番号に対応するマルチラインキー番号を特定する。図示する例では、呼情報で回線リソース番号「１」が通知されたため、マルチラインキー番号「１」を特定する（Ｓ１５）。
【００４５】
そして、可視表示処理部１０４は、可視表示パターン決定部１０３が決定した番号のマルチラインキーの表示を、可視表示パターン決定部１０３が決定した可視表示となるように制御する（Ｓ１６）。これにより、図示する例では、ボタン電話機Ａの番号「１」のマルチラインキー１０６が緑に点灯される（Ｓ１７）。
【００４６】
一方、ボタン電話機Ｂの可視表示パターン決定部１０３は、可視表示パターンテーブル１２０（図４参照）を参照し、可視表示パターンを決定する（Ｓ２５）。図示する例では、呼状態は「使用中」で、トリガー操作有無についてはキー操作を検出してないため「無し」である。したがって、可視表示パターン決定部１０３は、可視表示パターンとして「他者使用中（赤点灯）」を決定する。
【００４７】
また、ボタン電話機Ｂの可視表示パターン決定部１０３は、マルチラインキー対応テーブル（図７参照）を参照し、呼情報で通知された回線リソース番号に対応するマルチラインキー番号を特定する。図示する例では、呼情報で回線リソース番号「１」が通知されたため、マルチラインキー番号「２」を特定する（Ｓ２５）。
【００４８】
そして、可視表示処理部１０４は、可視表示パターン決定部１０３が決定した番号のマルチラインキーの表示を、可視表示パターン決定部１０３が決定した可視表示となるように制御する（Ｓ２６）。これにより、図示する例では、ボタン電話機Ｂの番号「２」のマルチラインキー１０６が赤に点灯される（Ｓ２７）。
【００４９】
以上説明した本実施形態では、異なる内容のマルチラインキー対応テーブルを備える複数のボタン電話機であっても、主装置側では、共通の同一内容の呼情報を１つだけ生成し、各ボタン電話機に通知し、各ボタン電話機は通知された呼情報に基づいて可視表示パターンを自律的に決定する。これにより、各ボタン電話機のマルチラインキー割付状況に基づいてボタン電話機毎に個別に呼情報を生成する場合と比較して、主装置の処理負荷を低減させることができる。
【００５０】
また、本実施形態では、同一内容の呼情報を各ボタン電話機に通知するため、主装置は、呼情報をマルチキャストで各ボタン電話機に配信することもできる。これにより、主装置と各ボタン電話機との間のネットワークトラフィックを軽減することができる。
【００５１】
なお、本発明は上記実施形態に限定されるものではなく、その要旨の範囲内で数々の変形が可能である。
【符号の説明】
【００５２】
１    ボタン電話機
１０１  呼情報受信部
１０２  操作検出部
１０３  可視表示パターン決定部
１０４  可視表示処理部
１０５  記憶部
１１０  マルチライン対応テーブル
１２０  可視表示パターンテーブル
２      主装置
【図１】
2010183430.tif 000003
【図２】
2010183430.tif 000004
【図３】
2010183430.tif 000005
【図４】
2010183430.tif 000006
【図５】
2010183430.tif 000007
【図６】
2010183430.tif 000008
【図７】
2010183430.tif 000009